【手続補正書】
【提出日】平成17年1月11日(2005.1.11)
【手続補正１】
【補正対象書類名】明細書
【補正対象項目名】発明の名称
【補正方法】変更
【補正の内容】
【発明の名称】接続装置、情報処理装置、および電子課金方法
【手続補正２】
【補正対象書類名】明細書
【補正対象項目名】特許請求の範囲
【補正方法】変更
【補正の内容】
【特許請求の範囲】
【請求項１】
第１の面に第１の平面型端子を有する第１のＩＣカードと、第１の面に第２の平面型端子を有し、第１のＩＣカードよりも小さな第２のＩＣカードとを挿入して保持する接続装置であって、
第１のＩＣカードを挿入する第１のスロットと、第１のスロットに第１のＩＣカードが挿入されたときに第１の平面型端子と接触するように形成された第１の接続電極を有する第１の保持手段と、
第２のＩＣカードを挿入する第２のスロットと、第２のスロットに第２のＩＣカードが挿入されたときに第２の平面型端子と接触するように形成された第２の接続電極を有する第２の保持手段とを具備したことを特徴とする接続装置。
【請求項２】
第１の面に第１の平面型端子を有する第１のＩＣカードと、第１の面に第２の平面型端子を有し、第１のＩＣカードよりも小さな第２のＩＣカードとを挿入して保持する接続装置であって、
第１のＩＣカードを挿入する第１のスロットと、第１のスロットに第１のＩＣカードが挿入されたときに第１の平面型端子と接触するように形成された第１の接続電極を有する第１の保持手段と、
第２のＩＣカードを挿入する第２のスロットと、第２のスロットに第２のＩＣカードが挿入されたときに第２の平面型端子と接触するように形成された第２の接続電極を有し、第１の保持手段の第１の接続電極が形成された側に第１の接続電極が形成された領域が露出するように形成された第２の保持手段とを具備し、
第１の接続電極と第２の接続電極とは、第１のスロットと第２のスロットに対して同じ側に形成され、第１のスロットと第２のスロットとは、第１のＩＣカードの挿入方向と第２のＩＣカードの挿入方向が同一方向になるように、かつ第１のＩＣカードと第２のＩＣカードとを受け入れたとき、第１のＩＣカードと第２のＩＣカードとが２辺を共有して重なり合うように形成され、第１のスロットの開口部と第２のスロットの開口部とは実質的に同一平面上にあり、第１のＩＣカードはＣＰＵを備えたＩＣカードであり、第２のＩＣカードはメモリカードであることを特徴とする接続装置。
【請求項３】
前記第２のＩＣカードは、前記第２の平面型端子と接続されたＮＡＮＤ型ＥＥＰＲＯＭまたはＡＮＤ型ＥＥＰＲＯＭを備えたことを特徴とする請求項１乃至２のいずれかに記載の接続装置。
【請求項４】
第１の接続電極および第２の接続電極と接続され、第１の保持手段の第１の接続電極が形成された側に、第２の保持手段と隣接して形成され、ＣＰＵと、第１のＩＣカードまたは第２のＩＣカードに入出力されるデータの暗号化および復号化を行う手段とを具備し、第１のＩＣカードと第２のＩＣカードとを並列的に駆動するインターフェース手段と、第１の接続電極および第２の接続電極と外部回路とを接続するためのコネクタとをさらに具備したことを特徴とする請求項１乃至請求項３のいずれかに記載の接続装置。
【請求項５】
第１の面に第１の平面型端子を有する第１のＩＣカードと、第１の面に第２の平面型端子を有し、第１のＩＣカードよりも小さな第２のＩＣカードとを受け入れて駆動する情報処理装置であって、
第１の平面型端子を介して第１のＩＣカードを、第２の平面型端子を介して第２のＩＣカードを並列的に駆動するインターフェース手段とを具備したことを特徴とする情報処理装置。
【請求項６】
第１の面に第１の平面型端子を有する第１のＩＣカードと、第１の面に第２の平面型端子を有し、第１のＩＣカードよりも小さな第２のＩＣカードとを受け入れて駆動する情報処理装置であって、
ＣＰＵと、第１のＩＣカードまたは第２のＩＣカードに入出力されるデータの暗号化および復号化を行う手段と、第１のＩＣカードまたは第２のＩＣカードに入出力される信号の波形整形用回路とを有し、第１の平面型端子を介して第１のＩＣカードを、第２の平面型端子を介して第２のＩＣカードを並列的に駆動するインターフェース手段を具備し、第１のＩＣカードが、第１のＩＣカードまたは第２のＩＣカードに入出力されるデータの暗号化および復号化を行う手段を具備したことを特徴とする情報処理装置。
【請求項７】
筐体と、
この筐体内に収容され、中央演算装置が搭載された基板と、
前記筐体の１つの面に、第１のＩＣカードを受け入れる第１のスロットおよび第２のＩＣカードを受け入れる第２のスロットが開口するように形成され、第１の平面型端子と接触するように形成された第１の接続電極と、第２の平面型端子と接触するように形成された第２の接続電極とを有する保持手段と、
前記基板上に形成され、前記中央演算装置側と第１のＩＣカードおよび第２のＩＣカードとの間の信号入出力を並列的に制御するインターフェース手段と、
前記インターフェース手段と前記第１の接続電極および第２の接続電極との間を接続する接続配線とを具備したことを特徴とする情報処理装置。
【請求項８】
平面型端子を有するＩＣを内蔵したＩＣカードを受け入れるスロットと、前記平面型端子と接続する接続電極とを有する保持手段と、
前記接続電極と前記平面型端子を介して前記ＩＣカードにアクセスするインターフェース手段とを具備し、
前記インターフェース手段は、前記平面型端子と前記接続電極との接続可能回数が設定されるとともに、前記平面型端子と前記接続電極との接続回数をカウントするカウンタ手段と、保持した設定値とカウント値とを比較して、前記カウント値が前記設定値に達した場合には前記ＩＣカードとのアクセスを停止する手段とを有することを特徴とする情報処理装置。
【請求項９】
前記保持手段の前記接続電極は交換可能に、かつ使用前状態と使用後状態とを判別する手段を有するように形成され、前記カウンタの計数値を使用前状態の前記接続電極が交換されたときにのみリセットする手段をさらに具備したことを特徴とする請求項８に記載の情報処理装置。
【請求項１０】
第１の面に第１の平面型端子を有する第１のＩＣカードと、第１の面に第２の平面型端子を有し、第１のＩＣカードよりも小さな第２のＩＣカードとを挿入して保持する情報処理装置であって、
第１のＩＣカードを挿入する第１のスロットと、第１のスロットに第１のＩＣカードが挿入されたときに第１の平面型端子と接触するように形成された第１の接続電極を有する第１の保持手段と、
第２のＩＣカードを挿入する第２のスロットと、第２のスロットに第２のＩＣカードが挿入されたときに第２の平面型端子と接触するように形成された第２の接続電極を有する第２の保持手段とを具備したことを特徴とする情報処理装置。
【請求項１１】
第１の面と前記第１の面に配置された第１の平面型端子とを有する第１のＩＣカードと、第１の面と前記第１の面に配置された第２の平面型端子とを有し、前記第１のＩＣカードよりも小さな第２のＩＣカードとを接続する接続装置であって、
前記第１のＩＣカードを保持可能な第１のスロットと、
前記第１のスロットに前記第１のＩＣカードが挿入されたときに前記第１の平面型端子と接触可能な第１の接続電極と、
前記第２のＩＣカードを保持可能な第２のスロットと、
前記第２のスロットに前記第２のＩＣカードが挿入されたときに前記第２の平面型端子と接触可能な第２の接続電極とを具備したことを特徴とする接続装置。
【請求項１２】
第１の面に第１の平面型端子を有する第１のＩＣカードと、第１の面に第２の平面型端子を有し、前記第１のＩＣカードよりも小さな第２のＩＣカードとを駆動する情報処理装置であって、前記第１の平面型端子を介して第１のＩＣカードを、前記第２の平面型端子を介して第２のＩＣカードを並列的に駆動するインターフェース回路を具備したことを特徴とする情報処理装置。
【請求項１３】
筐体と、
この筐体内に収容され、中央演算装置が搭載された基板と、
第１の平面型端子を備えた第１のＩＣカードを挿入可能な第１のスロットと、第２の平面型端子を備えた第２のＩＣカードを挿入可能な第２のスロットと、前記第１の平面型端子と接触可能な第１の接続電極と、前記第２の平面型端子と接触可能な第２の接続電極とを具備した接続装置と、
前記基板上に形成され、前記第１のＩＣカードと前記第２のＩＣカードとを動作可能なように接続可能にし、前記中央演算装置側と前記第１のＩＣカードおよび前記第２のＩＣカードとの間の伝送される信号を並列的に制御するインターフェース回路と、
前記インターフェース回路と前記第１の接続電極および前記第２の接続電極との間を接続する接続配線とを具備したことを特徴とする情報処理装置。
【請求項１４】
平面型端子を含んだＩＣカードを受け入れ可能なスロットと、前記平面型端子と接触可能な接続電極と、前記接続電極と前記平面型端子とを介して前記ＩＣカードにアクセス可能なインターフェース回路とを具備した接続装置を備え、
前記インターフェース回路は、前記接続電極と前記平面型端子との接続回数を数えるカウンタと、設定値と前記接続回数とを比較し、前記接続回数が前記設定値に達したときに前記ＩＣカードへのアクセスを停止する回路とを具備したことを特徴とする情報処理装置。
【請求項１５】
第１の面に第１の平面型端子を有する挿入された第１のＩＣカードと、第１の面に第２の平面型端子を有し、前記第１のＩＣカードよりも小さな挿入された第２のＩＣカードとを保持可能な情報処理装置であって、
前記第１のＩＣカードが挿入される第１のスロットと、前記第１のＩＣカードが前記第１のスロットに挿入されたときに前記第１の平面型端子と接触するように形成された第１の接続電極とを具備した第１の接続装置と、
前記第２のＩＣカードが挿入される第２のスロットと、前記第２のＩＣカードが前記第２のスロットに挿入されたときに前記第２の平面型端子と接触するように形成された第２の接続電極とを具備した第２の接続装置とを具備したことを特徴とする情報処理装置。
【請求項１６】
第１のＩＣカードを受け入れる第１のスロットと、前記第１のＩＣカードとは異なる第２のＩＣカードを受け入れる第２のスロットとを有する外部カードリーダを使用する前記第１のＩＣカードによる電子課金方法であって、
ユーザに前記第１のスロットに前記第１のＩＣカードを挿入させることを可能にするステップと、
前記ユーザに前記第２のスロットに前記第２のＩＣカードを挿入させることを可能にするステップと、
前記第２のＩＣカードに記憶された暗号化されたアイデンティフィケーションデータを使用することによって前記ユーザの身元を認証することを試みるステップと、
正当な認証に応じて前記第１のＩＣカードを介して前記ユーザーの課金処理を行なうステップと、
前記第２のＩＣカードの記憶装置に情報を送るステップとを具備したことを特徴とする電子課金方法。
【手続補正３】
【補正対象書類名】明細書
【補正対象項目名】００１０
【補正方法】変更
【補正の内容】
【００１０】
本発明の接続装置は、第１の面に第１の平面型端子を有する第１のＩＣカードと、第１の面に第２の平面型端子を有し、第１のＩＣカードよりも小さな第２のＩＣカードとを挿入して保持する接続装置であって、第１のＩＣカードを挿入する第１のスロットと、第１のスロットに第１のＩＣカードが挿入されたときに第１の平面型端子と接触するように形成された第１の接続電極を有する第１の保持手段と、第２のＩＣカードを挿入する第２のスロットと、第２のスロットに第２のＩＣカードが挿入されたときに第２の平面型端子と接触するように形成された第２の接続電極を有し、第１の保持手段の第１の接続電極が形成された側に第１の接続電極が形成された領域が露出するように形成された第２の保持手段とを具備し、第１の接続電極と第２の接続電極とは、第１のスロットと第２のスロットに対して同じ側に形成され、第１のスロットと第２のスロットとは、第１のＩＣカードの挿入方向と第２のＩＣカードの挿入方向が同一方向になるように、かつ第１のＩＣカードと第２のＩＣカードとを受け入れたとき、第１のＩＣカードと第２のＩＣカードとが２辺を共有して重なり合うように形成され、第１のスロットの開口部と第２のスロットの開口部とは実質的に同一平面上にあり、第１のＩＣカードはＣＰＵを備えたＩＣカードであり、第２のＩＣカードはメモリカードであることを特徴とする。第１のＩＣカードを保持する第１の保持手段上に、この第１のＩＣカードよりも小さな第２のＩＣカードを保持する第２の保持手段を形成することにより、第１の保持手段上に第２の保持手段に覆われていない領域が形成される。この領域に、例えば第１のスロットに挿入された第１のＩＣカードの第１の平面型端子との電気的接続を得るための第１の接続電極を形成することができる。また、第１のＩＣカードまたは第２のＩＣカードを駆動するためのコントローラなどを搭載することもできる。したがって、接続装置全体の厚さを薄くかつコンパクトにすることができる。
【手続補正４】
【補正対象書類名】明細書
【補正対象項目名】００１１
【補正方法】変更
【補正の内容】
【００１１】
また、第１の接続電極と第２の接続電極とは第１のスロットと第２のスロットに対して同じ側に形成することにより、例えば第１のスロットおよび第２のスロットに第１のＩＣカードと第２のスロットとを挿入したとき、第１のＩＣカードの第１の面と第２のＩＣカードの第１の面とが同一方向を向くようにすることができる。この場合、第１のＩＣカードまたは第２のＩＣカードを挿入するときに、その平面型端子を見ながら挿入できるように形成することが好適である。
【手続補正５】
【補正対象書類名】明細書
【補正対象項目名】００１２
【補正方法】変更
【補正の内容】
【００１２】
また、第１のスロットと第２のスロットとが、第１のＩＣカードの挿入方向と第２のＩＣカードの挿入方向が同一方向になるように形成されたことにより、カードのスロットに対する抜き差しが便利であると同時に、接続装置はよりコンパクトになる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１６
【補正方法】変更
【補正の内容】
【００１６】
さらに上記接続装置は、第１の接続電極および第２の接続電極と接続され、第１の保持手段の第１の接続電極が形成された側に、第２の保持手段と隣接して形成され、ＣＰＵと、第１のＩＣカードまたは第２のＩＣカードに入出力されるデータの暗号化および復号化を行う手段とを具備し、第１のＩＣカードと第２のＩＣカードとを並列的に駆動するインターフェース手段と、第１の接続電極および第２の接続電極と外部回路とを接続するためのコネクタとをさらに具備してもよい。ここで並列的とは、例えば１個のインターフェース手段で、第１のＩＣカードと第２のＩＣカードとを駆動するような場合や、インターフェースと第１の接続電極および第２の接続電極とを接続する配線のうち、少なくとも１本の配線（電源配線、グランド配線または信号配線）が共用されている場合などをいう。
【手続補正９】
【補正対象書類名】明細書
【補正対象項目名】００１７
【補正方法】変更
【補正の内容】
【００１７】
このインターフェース手段は、第１の保持手段の第１の接続電極が形成された側に、第２の保持手段と隣接して形成されているので、装置をさらに薄くコンパクトにすることができる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
インターフェース手段には少なくとも１個のＣＰＵが搭載されているので、例えば第１のＩＣカード、第２のＩＣカードに入出力されるデータの暗号化処理／復号化処理などの複雑な処理をインターフェース手段のＣＰＵ、またはＩＣカードに内蔵されたＣＰＵやＤＳＰを組み合わせて処理することができる。
【手続補正１２】
【補正対象書類名】明細書
【補正対象項目名】００２７
【補正方法】変更
【補正の内容】
【００２７】
また、本発明の情報処理装置は、第１の面に第１の平面型端子を有する第１のＩＣカードと、第１の面に第２の平面型端子を有し、第１のＩＣカードよりも小さな第２のＩＣカードとを受け入れて駆動する情報処理装置であって、第１の平面型端子を介して第１のＩＣカードを、第２の平面型端子を介して第２のＩＣカードを並列的に駆動するインターフェース手段とを具備したことを特徴とする。また、本発明の情報処理装置は、第１の面に第１の平面型端子を有する第１のＩＣカードと、第１の面に第２の平面型端子を有し、第１のＩＣカードよりも小さな第２のＩＣカードとを受け入れて駆動する情報処理装置であって、ＣＰＵと、第１のＩＣカードまたは第２のＩＣカードに入出力されるデータの暗号化および復号化を行う手段と、第１のＩＣカードまたは第２のＩＣカードに入出力される信号の波形整形用回路とを有し、第１の平面型端子を介して第１のＩＣカードを、第２の平面型端子を介して第２のＩＣカードを並列的に駆動するインターフェース手段を具備し、第１のＩＣカードが、第１のＩＣカードまたは第２のＩＣカードに入出力されるデータの暗号化および復号化を行う手段を具備したことを特徴とする。
【手続補正１３】
【補正対象書類名】明細書
【補正対象項目名】００４２
【補正方法】変更
【補正の内容】
【００４２】
なおここではファイルデータの例として音楽データの配信システムの例について説明したが、これ以外にも例えばテキストデータ、画像データ、映像データ（ＭＰＥＧ、ＭＰＥＧ２などの動画データ）等の配信システムに適用するようにしてもよい。
また、本発明の情報処理装置は、第１の面と前記第１の面に配置された第１の平面型端子とを有する第１のＩＣカードと、第１の面と前記第１の面に配置された第２の平面型端子とを有し、前記第１のＩＣカードよりも小さな第２のＩＣカードとを接続する接続装置であって、前記第１のＩＣカードを保持可能な第１のスロットと、前記第１のスロットに前記第１のＩＣカードが挿入されたときに前記第１の平面型端子と接触可能な第１の接続電極と、前記第２のＩＣカードを保持可能な第２のスロットと、前記第２のスロットに前記第２のＩＣカードが挿入されたときに前記第２の平面型端子と接触可能な第２の接続電極とを具備したことを特徴とする。
また、本発明の情報処理装置は、第１の面に第１の平面型端子を有する第１のＩＣカードと、第１の面に第２の平面型端子を有し、前記第１のＩＣカードよりも小さな第２のＩＣカードとを駆動する情報処理装置であって、前記第１の平面型端子を介して第１のＩＣカードを、前記第２の平面型端子を介して第２のＩＣカードを並列的に駆動するインターフェース回路を具備したことを特徴とする。
また、本発明の情報処理装置は、筐体と、この筐体内に収容され、中央演算装置が搭載された基板と、第１の平面型端子を備えた第１のＩＣカードを挿入可能な第１のスロットと、第２の平面型端子を備えた第２のＩＣカードを挿入可能な第２のスロットと、前記第１の平面型端子と接触可能な第１の接続電極と、前記第２の平面型端子と接触可能な第２の接続電極とを具備した接続装置と、前記基板上に形成され、前記第１のＩＣカードと前記第２のＩＣカードとを動作可能なように接続可能にし、前記中央演算装置側と前記第１のＩＣカードおよび前記第２のＩＣカードとの間の伝送される信号を並列的に制御するインターフェース回路と、前記インターフェース回路と前記第１の接続電極および前記第２の接続電極との間を接続する接続配線とを具備したことを特徴とする。
また、本発明の情報処理装置は、平面型端子を含んだＩＣカードを受け入れ可能なスロットと、前記平面型端子と接触可能な接続電極と、前記接続電極と前記平面型端子とを介して前記ＩＣカードにアクセス可能なインターフェース回路とを具備した接続装置を備え、前記インターフェース回路は、前記接続電極と前記平面型端子との接続回数を数えるカウンタと、設定値と前記接続回数とを比較し、前記接続回数が前記設定値に達したときに前記ＩＣカードへのアクセスを停止する回路とを具備したことを特徴とする。
また、本発明の情報処理装置は、第１の面に第１の平面型端子を有する挿入された第１のＩＣカードと、第１の面に第２の平面型端子を有し、前記第１のＩＣカードよりも小さな挿入された第２のＩＣカードとを保持可能な情報処理装置であって、前記第１のＩＣカードが挿入される第１のスロットと、前記第１のＩＣカードが前記第１のスロットに挿入されたときに前記第１の平面型端子と接触するように形成された第１の接続電極とを具備した第１の接続装置と、前記第２のＩＣカードが挿入される第２のスロットと、前記第２のＩＣカードが前記第２のスロットに挿入されたときに前記第２の平面型端子と接触するように形成された第２の接続電極とを具備した第２の接続装置とを具備したことを特徴とする。
また、本発明の電子課金方法は、第１のＩＣカードを受け入れる第１のスロットと、前記第１のＩＣカードとは異なる第２のＩＣカードを受け入れる第２のスロットとを有する外部カードリーダを使用する前記第１のＩＣカードによる電子課金方法であって、ユーザに前記第１のスロットに前記第１のＩＣカードを挿入させることを可能にするステップと、前記ユーザに前記第２のスロットに前記第２のＩＣカードを挿入させることを可能にするステップと、前記第２のＩＣカードに記憶された暗号化されたアイデンティフィケーションデータを使用することによって前記ユーザの身元を認証することを試みるステップと、正当な認証に応じて前記第１のＩＣカードを介して前記ユーザーの課金処理を行なうステップと、前記第２のＩＣカードの記憶装置に情報を送るステップとを具備したことを特徴とする。